(57)【特許請求の範囲】
【請求項１】
全体が一体となって自動で起立可能なベッドマット用の第１フレームと、
該第１フレームの外側に位置し、自動で起立可能なリハビリ用具支持枠兼用の第２フレームと、
該第２フレームの外側に位置し、メインフレームとなる第３フレームとを備え、
前記第１フレームと前記第２フレームとが、独立して動作し、
前記第３フレームの脚側が解放して構成され、
前記第１フレーム１及び第２フレーム２が一体となって、垂直状態になることができるように構成されていることを特徴とする、治療台兼用ベッド。
【請求項２】
全体が一体となって自動で起立可能なベッドマット用の第１フレームと、
該第１フレームの外側に位置し、自動で起立可能なリハビリ用具支持枠兼用の第２フレームと、
該第２フレームの外側に位置し、メインフレームとなる第３フレームとを備え、
前記第１フレームと前記第２フレームとが、独立して動作し、
前記第１フレームが、上半身支持部、中間支持部、脚支持部の３つに分割して構成され、
前記第３フレームの脚側が解放して構成され、
前記第１フレーム１及び第２フレーム２が一体となって、垂直状態になることができるように構成されていることを特徴とする、治療台兼用ベッド。
【請求項３】
全体が一体となって自動で起立可能なベッドマット用の第１フレームと、
該第１フレームの外側に位置し、自動で起立可能なリハビリ用具支持枠兼用の第２フレームと、
該第２フレームの外側に位置し、メインフレームとなる第３フレームとを備え、
前記第１フレームと前記第２フレームとが、独立して動作し、
前記第１フレームが、上半身支持部、中間支持部、脚支持部の３つに分割して構成され、
前記第３フレームの脚側が解放して構成され、
前記第１フレーム１及び第２フレーム２が一体となって、垂直状態になることができるように構成され、
前記第１フレーム及び第２フレームが直立した際に、脚支持部が立ち上がり、椅子として機能することを特徴とする、治療台兼用ベッド。
【発明の詳細な説明】
【技術分野】
【０００１】
本発明は、治療台兼用ベッドに関する。
【背景技術】
【０００２】
特許文献１に示すように、治療台を兼ねたベッドとして、コ字状の上枠と固定脚および折畳み脚とからなる外枠と、外枠に内嵌する枠と枠に内嵌し脚部が折畳み椅子となるマットとからなる内枠と、上枠へ揺動自在に軸支された支柱本体と支柱本体の上杆へ取付け取外し自在に付設されたマイクロ牽引器とからなる支柱で構成されたものが知られている。
【発明の概要】
【発明が解決しようとする課題】
【０００３】
しかしながら、従来のものは、自力でベッドに上がることができない患者の場合、必ず補助者が必要となり、この補助作業は患者の下半身を支える必要があるので、力を要していた。
また、治療台を所望の態様に変化させる場合も、かなりの力を要するものであった。
従って、本発明の解決すべき課題は、自力でベッドに上がることができない患者の場合であっても、力を要することなくベッドに上がることができる上に、所望の態様に力を要することなく変化させることができる手段を提供することにある。
【課題を解決するための手段】
【０００４】
本発明の課題を解決するための手段は、下記のとおりである。
【０００５】
全体が一体となって自動で起立可能なベッドマット用の第１フレームと、
該第１フレームの外側に位置し、自動で起立可能なリハビリ用具支持枠兼用の第２フレームと、
該第２フレームの外側に位置し、メインフレームとなる第３フレームとを備え、
前記第１フレームと前記第２フレームとが、独立して動作し、
前記第１フレームが、上半身支持部、中間支持部、脚支持部の３つに分割して構成され、
前記第３フレームの脚側が解放して構成され、
前記第１フレーム１及び第２フレーム２が一体となって、垂直状態になることができるように構成され、
前記第１フレーム及び第２フレームが直立した際に、脚支持部が立ち上がり、椅子として機能することを特徴とする、治療台兼用ベッド。
【発明の効果】
【０００６】
本発明によれば以下の効果を奏することができる
【０００７】
第１フレームと第２フレームとが一体となって起立状態に立ち上がるので、患者は立った状態でベッドに乗り込むことができ、必ずしも補助者が必要でなく、補助作業をするにしても下半身の体重を支える必要がないので、力を要しない。
同様に、ベッドから降りる際にも、再度、第１フレームと第２フレームとが一体となって起立状態に立ち上がることで、患者自身も起こされるので、楽にベッドから出ることができる。
また、リハビリの際には、患者はベッドに横たわったままで、第２フレームだけを自動で起立状態とすることで所望の形態になるので、力を要することがない。
さらに、ベッドに横たわったままで、各種のリハビリ作業をすることができるので、リハビリ用具の設置場所に困ることなく、また、移動のために時間や手間を要することもない。
【図面の簡単な説明】
【０００８】
【図１】本発明に係る治療台兼用ベッドの一実施形態の概略図である。
【図２】図１に示す治療台兼用ベッドについて、第１フレーム及び第２フレームの垂直状態を示す概略図である。
【図３】図１に示す治療台兼用ベッドについて、第１フレーム及び第２フレームの水平状態を示す概略図である。
【図４】図１に示す治療台兼用ベッドについて、リハビリ実施状態を示す概略図である。
【図５】図１に示す治療台兼用ベッドについて、患者の水平状態を示す概略図である。
【図６】図１に示す治療台兼用ベッドについて、患者の垂直状態を示す概略図である。
【発明を実施するための形態】
【０００９】
以下、本発明を実施するための形態を、図面を参照しつつさらに具体的に説明する。
ここで、添付図面において同一の部材には同一符号を付しており、また重複した説明は省略されている。
なお、ここでの説明は本発明が実施される一形態であり、本発明はこれらの形態に限定されるものではない。
【００１０】
図１に示すように、本発明に係る治療台兼用ベッドは、アクチュエータによって自動で起立可能なベッドマット用の第１フレーム１と、該第１フレーム１の外側に位置し、アクチュエータによって自動で起立可能なリハビリ用具支持枠兼用の第２フレーム２と、該第２フレーム２の外側に位置し、メインフレームとなる第３フレーム３とを備えている。
【００１１】
前記ベッドマット用の第１フレーム１は、患者がベッドに寝た状態の際に、頭側から足側に向けて、上半身支持部１１、中間支持部１２、脚支持部１３の３つに分割して構成され、水平状態では第３フレーム３によって支持されている。
該上半身支持部１１、中間支持部１２、脚支持部１３は、アクチュエータによって全体が一体となって、自動で起立可能に構成されている。
ここで、上半身支持部１１、中間支持部１２、脚支持部１３は、本実施形態においては、各々が単独のアクチュエータまたは組み合わせによって動作可能に構成されている。
【００１２】
前記リハビリ用具支持枠兼用の第２フレーム２は、中央より患者の脚側に位置する回転軸を中心に、水平状態から垂直状態にアクチュエータによって自動的に動くように、第３フレーム３に取り付けられている。
また、前記第１フレームと前記第２フレームとは、アクチュエータによって自動的に互いに独立して動作可能に構成されている。
該第２フレーム２の頭側には、３本の短棒２１と、U字状フレーム２２とを組み合わせた頭側フレームが取り付けられている。
該第２フレーム２の中間付近には、各々中間手摺２３が、上下位置調節可能に取り付けられている。
該第２フレーム２の脚側には、垂直状態の際に、立った患者を支持するステップフレームが取り付けられている。
【００１３】
前記メインフレームとなる第３フレーム３は、第１フレーム１及び第２フレーム２を支持するものであり、脚側が開放して構成されている。
該第３フレーム３の脚側には、各々脚側手摺３１が、上下位置調整可能に取り付けられている。
【００１４】
図中、符号４は、第２フレームの頭側フレームの短棒２１に取り付けたリハビリ器具を示している。
該リハビリ器具４は、滑車４１を介して紐４２の両先端に、ハンドル４３を取り付けたものである。
なお、図示は省略するが、各種の器具を用いることができる。
【００１５】
図２に示すように、本発明の治療台兼用ベッドは、アクチュエータによって、第１フレーム１及び第２フレーム２が一体となって、垂直状態になることができるように構成されている。
【００１６】
図３に示すように、本発明の治療台兼用ベッドは、第１フレーム１及び第２フレーム２が一体となって、第３フレームに支えられ、水平状態になることができるものである。
図３中、点線は、第２フレーム２が、第１フレーム１とは別に単独で、アクチュエータによって垂直状態から水平状態に動作可能であることを示している。
【００１７】
図４に示すように、本発明の治療台兼用ベッドは、患者がベッドに寝た状態から、第１フレーム１の上半身支持部１１を、アクチュエータ１１ａによって人手を介することなく自動的に立ち上げると共に、第２フレーム２を、アクチュエータ２ａによって第１フレーム１とは別に自動的にほぼ垂直状態に立ち上げることで、リハビリを実施することができる。
図４中、符号１３ａは、脚支持部１３を垂直状態に自動的に立ち上げることができるアクチュエータを示している。
また、符号３ａは、第３フレーム３に取り付けられ、第１フレーム１を垂直状態まで自動的に立ち上げることができるアクチュエータを示している。
【００１８】
図５は、本発明の治療台兼用ベッドの水平状態について、アクチュエータ１１ａ、２ａ、３ａ、１３ａが縮んだ状態であることを示している。
【００１９】
図６は、本発明の治療台兼用ベッドの垂直状態について、アクチュエータ３ａが伸びた状態であることを示している。
【００２０】
本発明の治療台兼用ベッドでリハビリを行う際には、図４に示すように、ベッド用のマットフレームである第１フレーム１の上半身支持部１１を、約５０度程度立ち上げる。
そして、患者が、上半身を起こした状態で第２フレーム２に取り付けた牽引器等のリハビリ器具４を利用することで、起こす動作に補助者を必要とすることなく、リハビリを行うことができる。
【００２１】
図２及び図６は、アクチュエーターによって自動的に、第１フレーム１と第２フレーム２とが一体となって、ほぼ９０度に立ち上がる様子を示している。
この状態では、脚側から、ステップフレーム２４に立ったままの状態でベッドに乗り込んだり、降りたりすることができる。
【００２２】
図６中の点線で示すように、第１フレーム１の脚支持部１３を、アクチュエータ２３ａによってほぼ９０度立ち上げることで、椅子の状態になるので、腰掛けて乗り込む事も可能となる。
【符号の説明】
【００２３】
１  第１フレーム
２  第２フレーム
２ａ  アクチュエータ
３  第３フレーム
３ａ  アクチュエータ
４  リハビリ器具
１１  上半身支持部
１１ａ  アクチュエータ
１２  中間支持部
１３  脚支持部
１３ａ  アクチュエータ
１４  リンク機構
２１  短棒
２２  Ｕ字状フレーム
２３  中間手摺
２４  ステップフレーム
３１  脚側手摺
４１  滑車
４２  紐
４３  ハンドル
【先行技術文献】
【特許文献】
【００２４】
【特許文献１】実公昭６３−９２８９号公報
【要約】      （修正有）【課題】患者は立った状態でベッドに乗り込んだり、ベッドから出ることができ、必ずしも補助者が必要でなく、補助作業をするにしても下半身の体重を支える必要がないので力を要しない。また、リハビリの際には、患者はベッドに横たわったままで、を自動で起立状態とすることで所望の形態になるので、力を要することがない治療台兼用ベッドを提供する。【解決手段】アクチュエータによって自動で起立可能なベッドマット用の第１フレーム１と、該第１フレーム１の外側に位置し、アクチュエータによって自動で起立可能なリハビリ用具支持枠兼用の第２フレーム２と、該第２フレーム２の外側に位置し、メインフレームとなる第３フレーム３とを備え、第１フレーム１と第２フレーム２とが、単独で動作するように構成する。【選択図】図１【図１】
0005432400.tif 000002
【図２】
0005432400.tif 000003
【図３】
0005432400.tif 000004
【図４】
0005432400.tif 000005
【図５】
0005432400.tif 000006
【図６】
0005432400.tif 000007